(57)【要約】      （修正有）【課題】容易に開閉することができる包装箱を提供する。【解決手段】包装箱１は、一対の第１側壁１０と一対の第２側壁１１とで筒状に形成された箱本体１Ａと、一対の第１側壁１０に連設された一対の第１延長壁１４と、一対の第２側壁１１に連設された一対の第２延長壁１６と、延長折曲線Ｌ６を介して第１延長壁１４に連設され、且つ傾斜折曲線Ｌ７を介して第２延長壁１６に連設された４つの連結壁と、一対の連結壁に係止折曲線Ｌ８を介して連設された一対の係止片１８と、を備え、第１延長壁１４と第２延長壁１６とが内側に折れて傾斜し、連結壁が第１延長壁１４と第２延長壁１６との間に折り込まれた封緘状態において、係止片１８は、係止折曲線Ｌ８で谷折りされ、対向した第１延長壁１４と連結壁との間に形成された差込口に差し込まれ、山折りされた延長折曲線Ｌ６に内側から押し付けられて封緘状態を保持する。【選択図】図５
2020189651.tif 000002
【特許請求の範囲】
【請求項１】
第１方向に対向して配置された一対の第１延長壁（１４）と、
第１方向に直交する第２方向に対向して配置された一対の第２延長壁（１６）と、
延長折曲線（Ｌ６）を介して前記第１延長壁に連設され、且つ前記延長折曲線に対して斜めに延設された傾斜折曲線（Ｌ７）を介して前記第２延長壁に連設された４つの連結壁（１７）と、
一方の前記第１延長壁の側に位置する一対の前記連結壁の先端部、または対角に位置する一対の前記連結壁の先端部に係止折曲線（Ｌ８）を介して連設された一対の係止片（１８）と、を備え、
前記第１延長壁と前記第２延長壁とが内側に傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口（２４）に差し込まれ、山折りされた前記延長折曲線に内側から押し付けられて前記封緘状態を保持することを特徴とする包装箱。
【請求項２】
一対の第１側壁（１０）と一対の第２側壁（１１）とが交互に連設されて筒状に形成された箱本体（１Ａ）と、
一対の前記第１側壁の一端部に連設された一対の第１延長壁（１４）と、
一対の前記第２側壁の一端部に連設された一対の第２延長壁（１６）と、
前記第１側壁と前記第２側壁との境界線（Ｌ１）に沿って延設された延長折曲線（Ｌ６）を介して前記第１延長壁に連設され、且つ前記境界線の一端から斜めに延設された傾斜折曲線（Ｌ７）を介して前記第２延長壁に連設された４つの連結壁（１７）と、
一方の前記第１延長壁の側に位置する一対の前記連結壁の先端部、または対角に位置する一対の前記連結壁の先端部に係止折曲線（Ｌ８）を介して連設された一対の係止片（１８）と、を備え、
前記第１延長壁と前記第２延長壁とが内側に折れて傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口（２４）に差し込まれ、山折りされた前記延長折曲線に内側から押し付けられて前記封緘状態を保持することを特徴とする包装箱。
【請求項３】
一対の前記第１延長壁の先端部に先端折曲線（Ｌ５）を介して連設された一対の摘み片（１５）を備え、
前記封緘状態において、一対の前記摘み片は、前記先端折曲線で谷折りされて重なり合うことを特徴とする請求項１または２に記載の包装箱。
【請求項４】
前記係止片が連設された前記連結壁の先端部は、前記第２延長壁の基端部と平行に形成され、
前記係止片は、少なくとも前記連結壁の先端部の前記第１延長壁側に連設されていることを特徴とする請求項１ないし３のいずれかに記載の包装箱。
【請求項５】
前記第２延長壁と一対の前記連結壁との間に形成された一対の前記傾斜折曲線の先端部は、前記係止折曲線よりも基端側にて互いに一致して頂点を形成し、
前記差込口を形成する前記連結壁の先端部は、前記延長折曲線の先端から前記傾斜折曲線の前記頂点に向かって基端側に傾斜しており、封緘状態において前記係止片が連設された前記連結壁の表面に沿って接触することを特徴とする請求項４に記載の包装箱。
【請求項６】
第１方向に対向して配置された一対の第１延長壁（１４）と、第１方向に直交する第２方向に対向して配置された一対の第２延長壁（１６）と、延長折曲線（Ｌ６）を介して前記第１延長壁に連設され、且つ前記延長折曲線に対して斜めに延設された傾斜折曲線（Ｌ７）を介して前記第２延長壁に連設された４つの連結壁（１７）と、を備えた包装体の封緘構造であって、
一方の前記第１延長壁の側に位置する一対の前記連結壁の先端部、または対角に位置する一対の前記連結壁の先端部には、係止折曲線（Ｌ８）を介して一対の係止片（１８）が連設されており、
前記第１延長壁と前記第２延長壁とが内側に傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口（２４）に差し込まれ、山折りされた前記延長折曲線に内側から押し付けられて前記封緘状態を保持することを特徴とする包装体の封緘構造。
【発明の詳細な説明】
【技術分野】
【０００１】
本発明は、開閉可能に構成された包装箱および包装体の封緘構造に関する。
【背景技術】
【０００２】
特許文献１に記載の密封容器は、四角柱状を成す４つの側面・底面と、第１の側面の上端に連設された第１の延長部と、第１の延長部の上端内面に設けられた係合段部と、第１の側面に対峙する第２の側面の上端に連設された第２の延長部と、第２の延長部の上端に連設された第３の延長部と、を備えていた。第１の延長部には、係合段部よりも下側に切目が設けられていた。第３の延長部の先端部には弾性折目で外側に折曲させた折曲端が設けられていた。この密封容器を封緘するには、第３の延長部を第１の延長部の下側に差し込みながら第１の延長部と第２の延長部とを互いに接近する方向に折り曲げ、第１の延長部の裏面において折曲端を係合段部に係合させていた。この密封容器を開封するには、切目を押し下げて折曲端を係合段部から離脱させていた。
【先行技術文献】
【特許文献】
【０００３】
【特許文献１】実公昭４５−２１２２２号公報
【発明の概要】
【発明が解決しようとする課題】
【０００４】
しかしながら、上記した密封容器では、作業者が目視できない第１の延長部の裏面において折曲端を係合段部に係合させなければならないため、密封容器を容易に封緘することができなかった。また、折曲端を係合段部から離脱させるために、人目に触れ易い第１の延長部に切目を設けなければならず、密封容器の意匠性が悪化していた。
【０００５】
本発明は、上記課題を解決するために、容易に開閉することができる包装箱および包装体の封緘構造を提供する。
【課題を解決するための手段】
【０００６】
上記した目的を達成するため、本発明の包装箱は、第１方向に対向して配置された一対の第１延長壁と、第１方向に直交する第２方向に対向して配置された一対の第２延長壁と、延長折曲線を介して前記第１延長壁に連設され、且つ前記延長折曲線に対して斜めに延設された傾斜折曲線を介して前記第２延長壁に連設された４つの連結壁と、一方の前記第１延長壁の側に位置する一対の前記連結壁の先端部、または対角に位置する一対の前記連結壁の先端部に係止折曲線を介して連設された一対の係止片と、を備え、前記第１延長壁と前記第２延長壁とが内側に傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口に差し込まれ、山折りされた前記延長折曲線に内側から押し付けられて前記封緘状態を保持する。
【０００７】
また、上記した目的を達成するため、本発明の包装箱は、一対の第１側壁と一対の第２側壁とが交互に連設されて筒状に形成された箱本体と、一対の前記第１側壁の一端部に連設された一対の第１延長壁と、一対の前記第２側壁の一端部に連設された一対の第２延長壁と、前記第１側壁と前記第２側壁との境界線に沿って延設された延長折曲線を介して前記第１延長壁に連設され、且つ前記境界線の一端から斜めに延設された傾斜折曲線を介して前記第２延長壁に連設された４つの連結壁と、一方の前記第１延長壁の側に位置する一対の前記連結壁の先端部、または対角に位置する一対の前記連結壁の先端部に係止折曲線を介して連設された一対の係止片と、を備え、前記第１延長壁と前記第２延長壁とが内側に折れて傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口に差し込まれ、山折りされた前記延長折曲線に内側から押し付けられて前記封緘状態を保持する。
【０００８】
この場合、一対の前記第１延長壁の先端部に先端折曲線を介して連設された一対の摘み片を備え、前記封緘状態において、一対の前記摘み片は、前記先端折曲線で谷折りされて重なり合うことが好ましい。
【０００９】
この場合、前記係止片が連設された前記連結壁の先端部は、前記第２延長壁の基端部と平行に形成され、前記係止片は、少なくとも前記連結壁の先端部の前記第１延長壁側に連設されていることが好ましい。
【００１０】
この場合、前記第２延長壁と一対の前記連結壁との間に形成された一対の前記傾斜折曲線の先端部は、前記係止折曲線よりも基端側にて互いに一致して頂点を形成し、前記差込口を形成する前記連結壁の先端部は、前記延長折曲線の先端から前記傾斜折曲線の前記頂点に向かって基端側に傾斜しており、封緘状態において前記係止片が連設された前記連結壁の表面に沿って接触することが好ましい。
【００１１】
また、上記した目的を達成するため、本発明は、第１方向に対向して配置された一対の第１延長壁と、第１方向に直交する第２方向に対向して配置された一対の第２延長壁と、延長折曲線を介して前記第１延長壁に連設され、且つ前記延長折曲線に対して斜めに延設された傾斜折曲線を介して前記第２延長壁に連設された４つの連結壁と、を備えた包装体の封緘構造であって、一方の前記第１延長壁の側に位置する一対の前記連結壁の先端部、または対角に位置する一対の前記連結壁の先端部には、係止折曲線を介して一対の係止片が連設されており、前記第１延長壁と前記第２延長壁とが内側に傾斜し、前記連結壁が前記延長折曲線で山折りされ、且つ前記傾斜折曲線で谷折りされて前記第１延長壁と前記第２延長壁との間に折り込まれた封緘状態において、前記係止片は、前記係止折曲線で谷折りされ、対向した前記第１延長壁と前記連結壁との間に形成された差込口に差し込まれ、山折りされた前記延長折曲線に内側から押し付けられて前記封緘状態を保持する。
【発明の効果】
【００１２】
本発明によれば、包装箱を容易に開閉することができる。
【図面の簡単な説明】
【００１３】
【図１】本発明の第１実施形態に係る包装箱を示す斜視図である。
【図２】本発明の第１実施形態に係る包装箱のブランクを示す平面図である。
【図３】本発明の第１実施形態に係る包装箱の箱本体を形成した状態を示す斜視図である。
【図４】本発明の第１実施形態に係る包装箱の箱本体の上面を閉じる過程を示す斜視図である。
【図５】本発明の第１実施形態に係る包装箱であって、第１延長壁の一部を切り欠いて差込口に差し込まれた係止片を示す斜視図である。
【図６】本発明の第１実施形態の第１変形例に係る包装箱を示す斜視図である。
【図７】本発明の第１実施形態の第２変形例に係る包装箱を示す斜視図である。
【図８】本発明の第１実施形態の第３変形例に係る包装箱のブランクを示す平面図である。
【図９】本発明の第２実施形態に係る包装箱を示す斜視図である。
【図１０】本発明の第２実施形態に係る包装箱のブランクを示す平面図である。
【発明を実施するための形態】
【００１４】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、これらの方向を示す用語は、説明の便宜のために用いるものであって、本発明の技術的範囲を限定するものではない。
【００１５】
［第１実施形態：包装箱の概要］
図１および図２を参照して、第１実施形態に係る包装箱１について説明する。図１は包装箱１を示す斜視図である。図２は包装箱１のブランク５を示す平面図である。
【００１６】
図１に示すように、包装箱１は、上下方向に延びた角筒状の箱本体１Ａの上部に切妻屋根構造を設けたゲーブルトップ型紙製容器である。
【００１７】
包装箱１は、図２に示すブランク５から組み立てられる。ブランク５は、１枚の板紙（厚紙）を抜型等で打ち抜いて形成される。なお、図２は表側を示しており、図２に示す「Ｘ」は紙の繊維（紙目）が延びる「紙目方向」を示し、「Ｙ」は紙目方向に直交する「直交方向」を示している。また、本明細書では、上下、左右、前後およびこれに類する方向を示す用語は、包装箱１を組み立てた状態（組立状態）における方向を指している。
【００１８】
［包装箱のブランク］
図２を参照して、包装箱１のブランク５について説明する。ブランク５は、一対の第１側壁１０と、一対の第２側壁１１と、一対の下内フラップ１２と、一対の下外フラップ１３と、一対の第１延長壁１４と、一対の摘み片１５と、一対の第２延長壁１６と、４つの連結壁１７と、一対の係止片１８と、を備えている。
【００１９】
＜第１側壁、第２側壁＞
一対の第１側壁１０と一対の第２側壁１１とは、交互に紙目方向に並設され、縦折曲線Ｌ１を介して連設されている。第１側壁１０と第２側壁１１とは、略同じ大きさとなる略長方形状に形成されている。詳細には、第１側壁１０と第２側壁１１とは、紙目方向の幅よりも直交方向（上下方向）の長さを長くした略長方形状に形成されている。紙目方向の外端に位置する第１側壁１０には、縦折曲線Ｌ１を介して本体継代片２０が連設されている。本体継代片２０は、基端（縦折曲線Ｌ１の側）から先端に向かって徐々に幅狭くなる略台形状に形成されている。
【００２０】
＜下内フラップ＞
一対の下内フラップ１２は、下横折曲線Ｌ２を介して一対の第２側壁１１の下端部に連設されている。下内フラップ１２は、基端（下横折曲線Ｌ２の側）から先端に向かって徐々に幅狭くなる略台形状に形成されている。下内フラップ１２の直交方向の寸法（延出寸法）は、第２側壁１１の紙目方向の寸法の略半分に設定されている。
【００２１】
＜下外フラップ＞
一対の下外フラップ１３は、下横折曲線Ｌ２を介して一対の第１側壁１０の下端部に連設されている。下外フラップ１３は略長方形状に形成されており、その直交方向の寸法（延出寸法）は下内フラップ１２の延出寸法よりも長く設定されている。下外フラップ１３の直交方向中間部には、先端から基端に向かって噛合凹部２２が切り欠かれている。下外フラップ１３には、噛合凹部２２から第２側壁１１の側に向かって斜めに延びた底折曲線Ｌ３が形成されている。
【００２２】
＜第１延長壁＞
一対の第１延長壁１４は、上横折曲線Ｌ４を介して一対の第１側壁１０の上端部（直交方向の一端部）に連設されている。第１延長壁１４は略長方形状に形成されており、その直交方向の寸法（延出寸法）は下外フラップ１３の延出寸法よりも僅かに短く設定されている。本体継代片２０の側の第１延長壁１４には、延長折曲線Ｌ６を介して屋根継代片２１が連設されている。屋根継代片２１は、基端から先端に向かって徐々に幅狭くなる略台形状に形成されている。なお、屋根継代片２１には、組立状態で後述する傾斜折曲線Ｌ７に一致する補助折曲線Ｌ９が斜めに形成されている。
【００２３】
＜摘み片＞
一対の摘み片１５は、先端折曲線Ｌ５を介して一対の第１延長壁１４の先端部に連設されている。摘み片１５は略長方形状に形成されており、その直交方向の寸法（延出寸法）は第１延長壁１４の延出寸法の１／３以下に設定されている。
【００２４】
＜第２延長壁＞
一対の第２延長壁１６は、上横折曲線Ｌ４を介して一対の第２側壁１１の上端部に連設されている。第２延長壁１６は、上横折曲線Ｌ４を底辺とする二等辺三角形状に形成されている。第２延長壁１６の直交方向の寸法（上横折曲線Ｌ４から頂点Ｖまでの距離）は、下内フラップ１２の延出寸法よりも僅かに短く設定されている。
【００２５】
＜連結壁＞
４つの連結壁１７は、延長折曲線Ｌ６を介して第１延長壁１４に連設され、且つ傾斜折曲線Ｌ７を介して第２延長壁１６に連設されている。延長折曲線Ｌ６は、縦折曲線Ｌ１（第１側壁１０と第２側壁１１との境界線）に沿って延設されている。傾斜折曲線Ｌ７は、縦折曲線Ｌ１の上端（一端）から延長折曲線Ｌ６に対して斜めに延設されている。換言すれば、傾斜折曲線Ｌ７は、三角形を成す第２延長壁１６の斜辺に対応している。第２延長壁１６と一対の連結壁１７との間に形成された一対の傾斜折曲線Ｌ７の先端部は、後述する係止折曲線Ｌ８よりも基端側（下側）にて互いに一致して頂点Ｖを形成している。なお、正確には、ブランク５の状態で、屋根継代片２１の反対側に位置する連結壁１７は、第１延長壁１４に連設されていない。当該連結壁１７は、包装箱１を組立状態とすると、屋根継代片２１を介して第１延長壁１４に連設される。
【００２６】
ブランク５の状態で、１つの第１延長壁１４の紙目方向両端部に連設された２つの連結壁１７は、その第１延長壁１４を中心として線対称となる略台形状に形成されている。一方、ブランク５の状態で、台形状を成す２つの連結壁１７を除く他の２つの連結壁１７は、その第１延長壁１４を中心として線対称となる略三角形状に形成されている。なお、以下の説明では、便宜上、台形状を成す連結壁１７を「第１連結壁１７Ａ」と呼び、三角形状を成す連結壁１７を「第２連結壁１７Ｂ」と呼び、第１連結壁１７Ａと第２連結壁１７Ｂとに共通する説明では単に「連結壁１７」と呼ぶこととする。
【００２７】
第１連結壁１７Ａの先端部（上端の一辺）は、上横折曲線Ｌ４（第２延長壁１６の基端部）と平行に形成されている。なお、「連結壁１７の先端部が上横折曲線Ｌ４と平行」であるとは、完全な平行だけでなく、誤差程度の傾きを許容する意味である。
【００２８】
一方、第２連結壁１７Ｂの先端部（上端の一辺）は、延長折曲線Ｌ６の先端から傾斜折曲線Ｌ７（第２延長壁１６）の頂点Ｖに向かって基端側（下方）に傾斜している。すなわち、第２連結壁１７Ｂの上部には、略三角形状に切り欠かれた欠損部２３が形成されており、第２連結壁１７Ｂの先端部は、頂点Ｖ上において第１連結壁１７Ａの先端部より一段下がっている。
【００２９】
＜係止片＞
一対の係止片１８は、包装箱１の封緘構造の主要部分となっている。一対の係止片１８は、係止折曲線Ｌ８を介して一対の第１連結壁１７Ａ（一方の第１延長壁１４の側に位置する一対の連結壁１７）の先端部（上端部）に連設されている。係止片１８は略長方形状に形成されており、その直交方向の寸法（延出寸法）は摘み片１５の延出寸法と同一に設定されている。また、摘み片１５に隣接する係止片１８の紙目方向端部は、延長折曲線Ｌ６よりも僅かに頂点Ｖの側にずれている。
【００３０】
なお、縦折曲線Ｌ１、下横折曲線Ｌ２、上横折曲線Ｌ４、先端折曲線Ｌ５および延長折曲線Ｌ６は、板紙を表面から直線状に凹ませた汎用罫線である。汎用罫線は、裏面（または表面）を内側に向けるように板紙を折り曲げるために設けられている。また、底折曲線Ｌ３、傾斜折曲線Ｌ７、係止折曲線Ｌ８および補助折曲線Ｌ９は、汎用罫線上に複数の切目を所定間隔に形成したリード罫線である。リード罫線は、表面を内側に向けるように板紙を折り曲げる（谷折りする）ために設けられている。これらの折曲線Ｌ１〜Ｌ８は、汎用罫線やリード罫線等に限らず、例えば、ミシン刃線等、板紙を折り曲げるための線であれば如何なるものでもよい。
【００３１】
［包装箱の組立および封緘］
次に、図１、図３ないし図５を参照して、包装箱１を組み立てて封緘する手順について説明する。図３は箱本体１Ａを形成した状態を示す斜視図である。図４は箱本体１Ａの上面を閉じる過程を示す斜視図である。図５は第１延長壁１４の一部を切り欠いて差込口２４に差し込まれた係止片１８を示す斜視図である。
【００３２】
図示は省略するが、組み立てる前の包装箱１は、略平坦に折り畳まれているものとする。詳細には、ブランク５（図２参照）において紙目方向両側の第１側壁１０と第２側壁１１とが縦折曲線Ｌ１で内側に折り返され、この折り返された第２側壁１１の裏面（内面）に本体継代片２０が接着されている。また、屋根継代片２１が反対側の連結壁１７の裏面に接着され、当該連結壁１７が屋根継代片２１を介して第１延長壁１４に連設されている。これにより、一対の第１側壁１０と一対の第２側壁１１とが交互に連設されて平坦に潰れた角筒状の箱本体１Ａが形成される。さらに、下外フラップ１３のうち底折曲線Ｌ３で区画された角部分が下内フラップ１２の表面（外面）に接着されている。また、下内フラップ１２を下横折曲線Ｌ２で山折りし、下外フラップ１３を底折曲線Ｌ３で谷折りしながら下横折曲線Ｌ２で山折りし、下内フラップ１２と下外フラップ１３とを箱本体１Ａの内側に入れる。以上によって、包装箱１が略平坦に折り畳まれた状態になる。
【００３３】
図３に示すように、作業者は、第１側壁１０と第２側壁１１とを直交させるように縦折曲線Ｌ１で折り曲げる。一対の第１側壁１０は前後方向（第１方向）に対向して配置され、一対の第２側壁１１は左右方向（第１方向に直交する第２方向）に対向して配置される。このように、折り畳まれていた包装箱１を起こすことで、略角筒状の箱本体１Ａが形成される。
【００３４】
包装箱１の底面は、角筒状に変形する箱本体１Ａに連動して形成される所謂ワンタッチ底である。すなわち、角筒状の箱本体１Ａが形成される過程で、下内フラップ１２および下外フラップ１３は箱本体１Ａの内側から外側（下方）に押し出され、下外フラップ１３は底折曲線Ｌ３で折り返された状態から平坦に戻り始める（図示せず）。一対の下外フラップ１３が平坦に戻ると、噛合凹部２２同士が噛み合った状態になる（図示せず）。以上によって、下内フラップ１２と下外フラップ１３とが箱本体１Ａの下面開口を閉塞し、包装箱１の底面が構成される（図示せず）。そして、作業者は、箱本体１Ａの内部に物品（図示せず）を収容する。
【００３５】
次に、図４に示すように、作業者は、一対の第１延長壁１４と一対の第２延長壁１６とを内側に傾斜させ、箱本体１Ａの上部に切妻屋根を形成する。
【００３６】
具体的には、作業者は、一対の第２延長壁１６を内側に押し込む。すると、第２延長壁１６は、一対の傾斜折曲線Ｌ７で谷折りされながら上横折曲線Ｌ４で山折りされて内側に傾斜する。第１延長壁１４は、内側に倒れる第２延長壁１６に引っ張られ、延長折曲線Ｌ６で山折りされながら上横折曲線Ｌ４で山折りされて内側に傾斜する。また、第１延長壁１４と第２延長壁１６とが内側に傾斜する過程で、連結壁１７は、延長折曲線Ｌ６で山折りされ、且つ傾斜折曲線Ｌ７で谷折りされて第１延長壁１４と第２延長壁１６との間に折り込まれて行く。第１延長壁１４と第２連結壁１７Ｂとは、互いに接近するように折れて差込口２４を形成する。差込口２４は、所定の角度をもって対向した第１延長壁１４と連結壁１７との間に形成された略三角形状の隙間である。連結壁１７が折り込まれる過程で、作業者は差込口２４を上方から目視することができる。
【００３７】
次に、作業者は、一対の係止片１８を係止折曲線Ｌ８で谷折りし、目視しながら一対の係止片１８を一対の差込口２４に差し込む。作業者は、係止片１８を差込口２４に差し込みながら、一対の第１延長壁１４の先端同士を突き合せ、先端折曲線Ｌ５で谷折りした一対の摘み片１５を重ね合わせる。以上によって、第１延長壁１４や第２延長壁１６等が箱本体１Ａの上面開口を閉塞し、切妻屋根構造が形成される。つまり、包装箱１が封緘された状態（以下「封緘状態」ともいう。）になる。また、封緘状態において、第２連結壁１７Ｂ（差込口２４を形成する連結壁１７）の先端部（上端部）は、第１連結壁１７Ａ（係止片１８が連設された連結壁１７）の表面に沿って接触する（図５参照）。
【００３８】
図５に示すように、封緘状態において、差込口２４に差し込まれた係止片１８は、山折りされた延長折曲線Ｌ６に内側から押し付けられて包装箱１の封緘状態を保持している。詳細には、上横折曲線Ｌ４の周辺には、板紙のコシ等によって第１延長壁１４を元に戻そうとする力（反発力）が働いている。これと同様に、延長折曲線Ｌ６や傾斜折曲線Ｌ７の周辺には連結壁１７を元に戻そうとする力（反発力）が働いている。これらの反発力は一対の係止片１８を左右両外側に開く方向に働くため、係止片１８は山折りされた延長折曲線Ｌ６の内面に押し付けられる。これにより、差込口２４から係止片１８が引き抜かれることが抑制されるため、包装箱１を封緘した状態を保持することができる。
【００３９】
以上説明した第１実施形態に係る包装箱１によれば、係止片１８および差込口２４は箱本体１Ａの上端に表れているため（図４参照）、作業者は、係止片１８を差込口２４に差し込む作業を目視しながら行うことができる。また、この包装箱１では、差込口２４に差し込んだ係止片１８が、山折りされた延長折曲線Ｌ６（第１延長壁１４と連結壁１７との間の屈曲部）に押し付けられて引っ掛かる構成とした（図５参照）。この構成によれば、延長折曲線Ｌ６に引っ掛かった係止片１８は引き抜き規制されるため、包装箱１の封緘状態を保持することができる。
【００４０】
また、係止片１８が延長折曲線Ｌ６から離れるように第１延長壁１４や連結壁１７を変形させることで、容易に係止片１８を差込口２４から引き抜くことができる。具体的には、ユーザが一対の第１連結壁１７Ａに指を掛けて上斜め前方に引っ張ると、係止片１８を差込口２４から軽く引き抜くことができ、包装箱１を簡単に開封することができる。なお、開封した包装箱１は再び封緘することもできる。以上のように、包装箱１を開封するために第１および第２延長壁１４，１６等に切目を設ける必要が無く、包装箱１の意匠性を良好に維持しながら箱本体１Ａの上端を容易に開閉することができる。
【００４１】
また、第１実施形態に係る包装箱１では、封緘状態において、一対の摘み片１５が、先端折曲線Ｌ５で谷折りされて重なり合うことで、一対の第１延長壁１４の突き合せ部から上方に延びていた。この構成によれば、重なり合った一対の摘み片１５によって差込口２４に差し込まれた係止片１８を隠すことができ、包装箱１の意匠性を向上させることができる。また、ユーザは重なり合った一対の摘み片１５を摘まんで包装箱１を手に取ることができる。さらに、ユーザが一対の摘み片１５を互いに引き離すことで、係止片１８を差込口２４から引き抜くことができ、容易に包装箱１を開封することができる。また、摘み片１５が切妻屋根の頂点部から上方に延びるため、ゲーブルトップ形式らしい意匠を構成することができる。
【００４２】
また、第１実施形態に係る包装箱１によれば、差込口２４を形成する第２連結壁１７Ｂの上部が切り欠かれて対向する第１連結壁１７Ａの上端よりも一段下がっているため、差込口２４を広くすることができる。これにより、係止片１８を差込口２４に差し込むことが容易になる。また、封緘状態において第２連結壁１７Ｂの上端が対向する第１連結壁１７Ａの表面に倣って接するため（図５参照）、隙間が少ない綺麗な包装箱１を構成することができる。
【００４３】
［第１変形例］
なお、第１実施形態に係る包装箱１では、係止片１８と第１連結壁１７Ａとの紙目方向の寸法が略同一であったが、本発明はこれに限定されない。一対の係止片１８の左右両外端部が山折りされた延長折曲線Ｌ６に押し付けられていればよいため、例えば、図６に示すように、係止片１８は、第１連結壁１７Ａの先端部の第１延長壁１４側のみに連設されてもよい。このように、係止片１８の横幅を狭くすることで、係止片１８を差込口２４に差し込み易くなる。
【００４４】
［第２変形例］
また、第１実施形態に係る包装箱１では、一対の係止片１８が、前方に位置する一対の連結壁１７に連設され、後方に折り返されて差込口２４に差し込まれていたが、本発明はこれに限定されない。例えば、図７に示すように、一対の係止片１８は、（平面から見て）対角に位置する一対の連結壁１７の先端部に連設されてもよい。この場合、一方の係止片１８は後方に折り返されて差込口２４に差し込まれ、他方の係止片１８は前方に折り返されて差込口２４に差し込まれる。
【００４５】
［第３変形例］
また、第１実施形態に係る包装箱１では、係止片１８が連設された第１連結壁１７Ａの先端部（一辺）が上横折曲線Ｌ４と平行に形成されていたが、本発明はこれに限定されない。例えば、図８に示すように、第１連結壁１７Ａが第２連結壁１７Ｂを反転させたような形状を成し、第１連結壁１７Ａの先端部が第２連結壁１７Ｂの先端部とは逆方向に傾斜してもよい。この場合、係止片１８は、第１連結壁１７Ａの先端部の傾斜にあわせて傾斜させてもよい。
【００４６】
また、第１実施形態（第１〜第３変形例を含む。以下同じ。）に係る包装箱１では、縦折曲線Ｌ１が、直線状に形成されていたが、これに限らず、湾曲、屈曲または波状等、直線以外の形状に形成されてもよい（図示せず）。また、包装箱１では、傾斜折曲線Ｌ７が、直線状に形成されていたが、これに限らず、湾曲した円弧状に形成されてもよい（図示せず）。
【００４７】
また、第１実施形態に係る包装箱１では、一対の摘み片１５が最上部に設けられていたが、一対の摘み片１５は省略されてもよい。この場合、一対の第１延長壁１４の上端部の突き合せ部が包装箱１の最上部になる（図示せず）。
【００４８】
［第２実施形態］
次に、図９および図１０を参照して、第２実施形態に係る包装箱２について説明する。図９は包装箱２を示す斜視図である。図１０は包装箱２のブランク６を示す平面図である。なお、第１実施形態に係る包装箱１と同様の構成については同一の符号を付し、その説明は省略する。
【００４９】
第２実施形態に係る包装箱２では、箱本体１Ａが省略されている点が、第１実施形態に係る包装箱１と異なる。具体的には、図１０に示すように、下内フラップ１２は、下横折曲線Ｌ２を介して第２延長壁１６の下端部に連設されている。下外フラップ１３は、下横折曲線Ｌ２を介して第１延長壁１４の下端部に連設されている。屋根継代片２１は、延長折曲線Ｌ６を介して第２延長壁１６の段方向の端部に連設されている。また、各第２延長壁１６に形成された一対の傾斜折曲線Ｌ７は、延長折曲線Ｌ６の下部から上斜めに延設されている。各傾斜折曲線Ｌ７は、段方向の両外側に向かって膨らむように円弧状に湾曲している。なお、一対の摘み片１５（先端折曲線Ｌ５）は省略されており、一対の第１延長壁１４が係止片１８の先端と同一位置まで延設されている。換言すれば、第１延長壁１４の上部が摘み片１５と同等の機能を有している。
【００５０】
ブランク６（図１０参照）において紙目方向両側の第１延長壁１４と第２延長壁１６とが延長折曲線Ｌ６で内側に折り返され、この折り返された第１延長壁１４の裏面に屋根継代片２１が接着されている。また、第１実施形態に係る包装箱１と同様に、下内フラップ１２と下外フラップ１３とが接着されて内側に折り込まれている。以上によって、包装箱２が略平坦に折り畳まれた状態になる（図示せず）。
【００５１】
図９に示すように、作業者は、第１延長壁１４と第２延長壁１６とを直交させるように延長折曲線Ｌ６で折り曲げ、包装箱２のワンタッチ底を形成する。そして、作業者は、包装箱２の上面開口から物品（図示せず）を収容する。その後、作業者は、一対の第１延長壁１４と一対の第２延長壁１６とを内側に傾斜させながら、連結壁１７を延長折曲線Ｌ６で山折りすると共に傾斜折曲線Ｌ７で谷折りし、第１延長壁１４と連結壁１７との間にできた差込口２４に係止片１８を差し込む。この状態で、一対の第１延長壁１４の上端部は突き合わされている。以上によって、包装箱２が封緘される。
【００５２】
以上説明した第２実施形態に係る包装箱２によれば、上面開口の開閉を容易化することができる等、第１実施形態に係る包装箱１と同様の効果を得ることができる。
【００５３】
なお、図示は省略するが、第２実施形態に係る包装箱２に対し、第１実施形態の第１〜第３変形例に係る包装箱１の特徴を適用してもよい。
【００５４】
また、第２実施形態に係る包装箱２では、摘み片１５が省略されたが、第１実施形態に係る包装箱１と同様に、第１延長壁１４の上端部に摘み片１５を連設してもよい（図示せず）
【００５５】
なお、第１および第２実施形態に係る包装箱１，２では、係止片１８が略長方形状に形成されていたが、本発明はこれに限定されない。係止片１８は、差込口２４に差し込んだ状態で延長折曲線Ｌ６に接する形状であればよく、例えば、長方形以外の多角形状に形成されてもよいし、半円形状に形成されてもよい（図示せず）。
【００５６】
また、第１および第２実施形態に係る包装箱１，２では、第２延長壁１６が上横折曲線Ｌ４を底辺とする略二等辺三角形状に形成されていたが、これに限らず、三角形の頂点Ｖから底辺に下した垂線を軸に非対称となる三角形状に形成されてもよい（図示せず）。
【００５７】
なお、第１および第２実施形態に係る包装箱１，２では、第１延長壁１４、第２延長壁１６、連結壁１７および係止片１８によって形成された切妻屋根構造（封緘構造）が、角筒状の箱本体１Ａの上部に連設されたり、包装箱２の底面に連設されたりしていたが、本発明はこれに限定されない。例えば、第１延長壁１４、第２延長壁１６、連結壁１７および係止片１８によって形成された切妻屋根構造が、袋状に形成された包装体に連設されてもよい（図示せず）。この構成によっても、包装体を容易に開閉することができる。
【００５８】
また、第１および第２実施形態に係る包装箱１，２は、板紙（単層の紙）で形成されていたが、これに限らず、例えば、段ボールシートで形成されてもよいし、樹脂製の板で形成されてもよい。
【００５９】
なお、上記実施形態の説明は、本発明に係る包装箱および包装箱の封緘構造における一態様を示すものであって、本発明の技術範囲は、上記実施形態に限定されるものではない。
【符号の説明】
【００６０】
１，２  包装箱
１Ａ    箱本体
１０    第１側壁
１１    第２側壁
１４    第１延長壁
１５    摘み片
１６    第２延長壁
１７    連結壁
１８    係止片
２４    差込口
Ｌ１    縦折曲線（境界線）
Ｌ５    先端折曲線
Ｌ６    延長折曲線
Ｌ７    傾斜折曲線
Ｌ８    係止折曲線
【図１】
2020189651.tif 000003
【図２】
2020189651.tif 000004
【図３】
2020189651.tif 000005
【図４】
2020189651.tif 000006
【図５】
2020189651.tif 000007
【図６】
2020189651.tif 000008
【図７】
2020189651.tif 000009
【図８】
2020189651.tif 000010
【図９】
2020189651.tif 000011
【図１０】
2020189651.tif 000012